(57)【要約】【課題】ベルマウスを着脱自在に設けて使用する換気装置において、ベルマウス装着時は、確実に装着し、取りはずし時には、前記ベルマウスの取り付け構造による影響を受けずに換気を行なうことができる。【解決手段】室壁１に設けた換気口に挿入され、高静圧型の第１のファンを有したファンモーター４を備え、内部を通風路とした円筒部５と、前記円筒部５の室内側開口部６に外方に延接し前記室壁１に取り付けられるフレーム７と、前記フレーム７の前面を覆う前面パネル８と、前記室内側開口部６に位置して前記ファンモーター４への通風を案内する着脱可能な第１のベルマウス９とを備え、前記室内側開口部６は室内側に向かって開口が広がる円錐面１０を有し、前記第１のベルマウス９の外周部には前記円錐面１０に内接する接合面１１を備え、前記第１のファンは高風量型の第２のファンと交換可能としたことを特徴とする換気装置。【選択図】図１
2008232491.tif 000002
【特許請求の範囲】
【請求項１】
室壁に設けた換気口に挿入され、高静圧型の第１のファンを有したファンモーターを備えてその内部を通風路とした円筒部と、前記円筒部の室内側開口部に外方に延接し前記室壁に取り付けられるフレームと、前記室内側開口部に位置して前記ファンモーターへの通風を案内する着脱可能な第１のベルマウスとを備え、前記室内側開口部は室内側に向かって開口が広がる円錐面を有し、前記第１のベルマウス外周部には前記円錐面に内接する円錐状の接合面を備え、前記第１のファンは高風量型の第２のファンと交換可能としたことを特徴とする換気装置。
【請求項２】
第１のファンを遠心ファンとし、第２のファンを軸流ファンとした請求項１記載の換気装置。
【請求項３】
フレームは湾曲面を有し、縁部に対して中央部を膨出させたことを特徴とする請求項１および２に記載の換気装置。
【請求項４】
前記接合面の一部には、外周方向へ突出した凸部を備え、前記円錐面には、前記凸部に係合させる挿入溝と引掛溝で構成されるＬ字形状の引掛孔を備えたことを特徴とする請求項１または３に記載の換気装置。
【請求項５】
凸部は前記接合面の円周方向に等間隔に複数個備え、引掛孔は前記円錐面の円周方向に等間隔に複数個備えたことを特徴とする請求項４に記載の換気装置。
【請求項６】
引掛溝の室内側面に手前から奥に向けて狭くする傾斜を設けた勾配面を形成し、前記勾配面に対応する面に傾斜を設けた係合面を形成した請求項４または５に記載の換気装置。
【請求項７】
第１のベルマウスの前面に凹凸状の指回動リブを設けた請求項１および４〜６のいずれかに記載の換気装置。
【請求項８】
指回動リブは前記第１のベルマウスの開口と交差する形状にして設けた請求項７記載の換気装置。
【請求項９】
円錐面はＲ形状で形成し、前記接合面を前記円錐面に内接するＲ形状で形成し、前記第１のベルマウスの前方には、前記第１のベルマウスの開口形状と相似形状で前記接合面のＲ形状に沿って開口面積が拡大する整流部を有した請求項１および４〜７のいずれかに記載の換気装置。
【請求項１０】
第１のベルマウスおよび第２のベルマウスと前記第１のファンと第２のファンはそれぞれ一対にして構成したことを特徴とする請求項１〜７のいずれかに記載の換気装置。
【請求項１１】
第１のベルマウスの裏面端部に傾斜を有した爪を円周方向に複数設け、前記爪に対向させて室内側開口部に取付孔を設けたことを特徴とする請求項１〜３のいずれかに記載の換気装置。
【発明の詳細な説明】
【技術分野】
【０００１】
本発明は室壁に設けた換気口に配設される形状で、内部にファンを取付けたファンモーターを有し、室内側にベルマウスを有し、お客様の用途に合わせて風量、静圧、騒音特性が異なる多種多様の性能が必要となる換気装置に関する。
【背景技術】
【０００２】
従来の室壁に配設される換気装置は、ベルマウスを着脱できる換気扇が知られている（例えば、特許文献１参照）。
【０００３】
以下にその換気装置について図１０を参照しながら説明する。
【０００４】
図に示すようにパイプ用換気扇は、本体１０７のフレーム１０６に設けたファン１０１の着脱用の開口１０８を前面周辺部１０９に回動して取付けられる取付部１１０を有し、ファン１０１の径より小径の吸込口１１１を形成したベルマウス１１２とを備え、ベルマウス１１２の取付部１１０の表面に回動操作時の滑り止め部１１３を設け、ベルマウス１１２とフレーム１０６間に回動操作によりベルマウス１１２が着脱できるように、ベルマウス１１２に設けた爪１１７と、フレーム１０６に設けた係合孔１２１とにより形成される着脱手段１２２を設ける構成としている。
【特許文献１】特開２００４−１６９９６７号公報
【発明の開示】
【発明が解決しようとする課題】
【０００５】
このような従来の換気装置では、ベルマウスを円筒部の室内側端に取り付けたときにベルマウスの一部が突出することなしに通風を行えるようにフレームに落ち込み段差を設けて、ベルマウスを取付けている。この時、静圧よりも風量が必要とされる場合、着脱自在に取り付けたベルマウスを外して軸流ファンで通風を行うと、ベルマウスを取り付けていた落ち込み段差により通風が乱れ、風量が減少し、騒音が増加してしまうという課題がある。
【０００６】
また落ち込み段差の平坦部を小さくすると、軸流ファン使用時に通風の乱れを小さく抑えることができるが、風量よりも静圧が必要とされる場合、着脱自在に取り付けたベルマウスを取付けて遠心ファンで通風を行うと、ベルマウスとフレームの接合が弱いため、隙間からの風漏れが発生し、風量が減少し、静圧が減少し、騒音が増大してしまうというという課題がある。
【０００７】
また、円筒部の室内側端に設けられた落ち込み段差を無くしてしまうと、ベルマウスがフレーム表面から突出することとなり、段差ができるため掃除性が悪化し、前面パネルを大きくする必要があり、室内へ突出する寸法も大きくなってしまうという課題がある。
【０００８】
本発明は、このような従来の課題を解決するものであり、ベルマウスを着脱自在に設けて使用する換気装置において、ベルマウス装着時は、確実に装着し、取り外し時には、前記ベルマウスの取り付け構造による影響を受けずに換気を行うことができる換気装置を提供することを目的とする。
【課題を解決するための手段】
【０００９】
本発明の換気装置は、上記課題を解決するために、室壁に設けた換気口に挿入され、高静圧形の第１のファンを有したファンモーターを備え、内部を通風路とした円筒部と、前記円筒部の室内側開口部に外方に延接し前記室壁に取り付けられるフレームと、前記フレームの前面を覆う前面パネルと、前記室内側開口部に位置して前記ファンモーターへの通風を案内する着脱可能な第１のベルマウスとを備え、前記室内側開口部は室内側に向かって開口が広がる円錐面を有し、前記第１のベルマウス外周部には前記円錐面に内接する接合面を備え、前記第１のファンは高風量形の第２のファンと交換可能としたことを特徴とするものである。
【００１０】
また、他の手段は、第１のファンを遠心ファンとし、第２のファンを軸流ファンとしたものである。
【００１１】
また、他の手段は、フレームは湾曲面を有し、縁部に対して中央部を膨出させたことを特徴とするものである。
【００１２】
また、他の手段は、前記接合面の一部には、外周方向へ突出した凸部を備え、前記円錐面には、前記凸部に係合させる挿入溝と引掛溝で構成されるＬ字形状の引掛孔を備えたことを特徴とするものである。
【００１３】
また、他の手段は、引掛溝の室内側面に手前から奥に向けて狭くする傾斜を設けた勾配面を形成し、勾配面に対応する前記凸部の面に傾斜を設けた係合面を形成したものである。
【００１４】
また、他の手段は、凸部は前記接合面の円周方向に等間隔に複数個備え、引掛孔は前記円錐面の円周方向に等間隔に複数個備えたことを特徴とするものである。
【００１５】
また、他の手段は、第１のベルマウスの前面に凹凸状の指回動リブを設けたものである。
【００１６】
また、他の手段は、指回動リブは前記第１のベルマウスの開口と交差する形状にして設けたものである。
【００１７】
また、他の手段は、円錐面はＲ形状で形成し、前記接合面を前記円錐面に内接するＲ形状で形成し、前記第１のベルマウスの前方には、前記第１のベルマウスの開口形状と相似形状で前記接合面のＲ形状に沿って開口面積が拡大する整流部を有したものである。
【００１８】
また、他の手段は、第１のベルマウスおよび第２のベルマウスと前記第１のファンと第２のベルマウスはそれぞれ一対にして構成したことを特徴とするものである。
【００１９】
また、他の手段は、第１のベルマウスの裏面端部に傾斜を有した爪を円周方向に複数設け、前記爪に対向させて室内側開口部に取付孔を設けたことを特徴とするものである。
【発明の効果】
【００２０】
本発明によれば、室壁に設けた換気口に挿入され、高静圧形の第１のファンを有したファンモーターを備え、内部を通風路とした円筒部と、前記円筒部の室内側開口部に外方に延接し前記室壁面に取り付けられるフレームと、前記フレームの前面を覆う前面パネルと、前記室内側開口部に位置して前記ファンモーターへの通風を案内する着脱可能な第１のベルマウスとを備え、前記室内側開口部は室内側に向かって開口が広がる円錐面を有し、前記第１のベルマウス外周部には前記円錐面に内接する接合面を備え、前記第１のファンは高風量形の第２のファンと交換可能としたことを特徴とすることにより、第１のベルマウスの接合面で室内側開口部の円錐面へ密着させて、風漏れを低減することができ、静圧を向上することができ、さらに回転数を下げることができ、騒音を低減することができ、また、圧力損失を伴わない用途で使用する場合には、第１のファンを第２のファンと取り替えて、第１のベルマウスを取り外すことにより、円錐面が第２のベルマウスとなり、低騒音で大風量の換気装置を提供することができる。
【００２１】
また、フレームは湾曲面を有し、縁部に対して中央部を膨出させたことを特徴とすることにより、壁面を伝わって流入する空気をスムースに第１のベルマウスまたは第２のベルマウスへ導き、効率よく換気を行うことができるという効果のある換気装置を提供することができる。
【００２２】
また、前記接合面の一部には、外周方向へ突出した凸部を備え、前記円錐面には、前記凸部に係合させる挿入溝と引掛溝で構成されるＬ字形状の引掛孔を備えたことを特徴とすることにより、第１のベルマウスは回動で着脱することが可能であり、第１のファンおよび円筒部内部の掃除を簡単にすることができ、お手入れ性が向上するという効果のある換気装置を提供することができる。
【００２３】
また、凸部は前記接合面の円周方向に等間隔に複数個備え、引掛孔は前記円錐面の円周方向に等間隔に複数個備えたことを特徴とすることにより、第１のベルマウスは安定してフレームに固定されるので、着脱によるがたつきや隙間の発生などを防止するという効果のある換気装置を提供することができる。
【００２４】
また、引掛溝の室内側面に手前から奥に向けて狭くする傾斜を設けた勾配面を形成し、前記勾配面に対応する面に傾斜を設けた係合面を形成したことにより、第１のベルマウスを回動すると、第１のベルマウスをフレームに引き寄せる方向に力が働き、第１のベルマウスの回動で円錐面と接合面の間の隙間をさらに少なくすることができ、風漏れをさらに低減することができ、静圧をさらに向上することができ、回転数をさらに下げることができ、騒音をさらに低減することができるという効果のある換気装置を提供することができる。
【００２５】
また、第１のベルマウスの前面に凹凸状の指回動リブを設けたことにより、第１のベルマウスは指がすべることなく回動することができ、着脱操作を簡単にすることができ、取り扱い性が向上するという効果のある換気装置を提供することができる。
【００２６】
また、指回動リブは前記第１のベルマウスの開口と交差する形状にして設けたことにより、第１のベルマウスは指がすべることなく回動することができ、着脱操作を片手で簡単にすることができ、取り扱い性が向上する。また、指回動リブが第１のベルマウスの開口の交差させて設けているので、カバーを兼ねることができ、紙くず等の吸い込みを防止することができるという効果のある換気装置を提供することができる。
【００２７】
また、円錐面はＲ形状で形成し、前記接合面を前記円錐面に内接するＲ形状で形成し、前記第１のベルマウスの前方には、前記第１のベルマウスの開口形状と相似形状で前記接合面のＲ形状に沿って開口面積が拡大する整流部を有したことにより、高静圧形の第１のファン使用時には円錐面と接合面にて密着させて隙間を防ぐことができ、また整流部が風の流れを均一にし、風漏れを低減することができ、静圧をさらに向上することができ、回転数をさらに下げることができ、騒音をさらに低減することができる。また、圧力損失を伴わない用途で使用する場合には、第１のファンを高風量形の第２のファンと取り替えて、第１のベルマウスを取り外すことにより、Ｒ形状で形成した円錐面が第２のベルマウスとなり、さらに整流することができ、さらに低騒音、大風量形の換気装置を提供することができるという効果のある換気装置を提供することができる。
【００２８】
また、第１のベルマウスおよび第２のベルマウスと前記第１のファンと第２のベルマウスはそれぞれ一対にして構成したことを特徴とすることにより、お客様の用途に合わせて風量、静圧、騒音特性が異なる多種多様の換気装置を簡単に提供することができる。
【００２９】
また、第１のベルマウスの裏面端部に傾斜を有した爪を円周方向に複数設け、前記爪に対向させて室内側開口部に取付孔を設けたことを特徴とすることにより、第１のベルマウスの回動で円錐面と接合面の間の隙間をさらに少なくすることができ、風漏れをさらに低減することができ、静圧をさらに向上することができ、回転数をさらに下げることができ、騒音をさらに低減することができるという効果のある換気装置を提供することができる。
【発明を実施するための最良の形態】
【００３０】
本発明の請求項１記載の換気装置は、室壁に設けた換気口に挿入され、高静圧形の第１のファンを有したファンモーターを備え、内部を通風路とした円筒部と、前記円筒部の室内側開口部に外方に延接し前記室壁面に取り付けられるフレームと、前記フレームの前面を覆う前面パネルと、前記円筒部の室内側開口部に位置して前記ファンモーターへの通風を案内する着脱可能な第１のベルマウスとを備え、前記円筒部の室内側開口部は室内側に向かって開口が広がる円錐面を有し、前記第１のベルマウス外周部には前記円錐面に内接する接合面を備え、前記第１のファンは高風量形の第２のファンと交換可能としたことを特徴とする換気装置としたものであり、第１のベルマウスの接合面は、フレームの円錐面へ内接させて取り付けて第１のファンを用いて換気を行うこととなり、また、第１のベルマウスを外した状態において、円錐面が第２のベルマウスを形成し、第２のファンを用いて換気を行うという作用を有する。
【００３１】
また、第１のファンを遠心ファンとし、第２のファンを軸流ファンとしたものであり、第１のベルマウスの接合面は、フレームの円錐面へ内接させて取り付けて第１のファンをもちいて換気を行うこととなり、また、第１のベルマウスを外した状態において、円錐面が第２のベルマウスを形成し第２のベルマウスで整流を行い、第２のファンを用いて換気を行うという作用を有する。
【００３２】
また、フレームは湾曲面を有し、縁部に対して中央部を膨出させたことを特徴とする換気装置としたものであり、壁を伝わって流入する気流はフレームの縁部から湾曲面に沿ってスムースに流れて換気を行うという作用を有する。
【００３３】
また、前記接合面の一部には、外周方向へ突出した凸部を備え、前記円錐面には、前記凸部に係合させる挿入溝と引掛溝で構成されるＬ字形状の引掛孔を備えたことを特徴とする換気装置としたものであり、凸部は、引掛孔のＬ字に案内され、挿入溝に奥まで挿入し引掛溝に沿って回転させて固定することができるという作用を有する。
【００３４】
また、凸部は前記接合面の円周方向に等間隔に複数個備え、引掛孔は前記円錐面の円周方向に等間隔に複数個備えたことを特徴とする換気装置としたものであり、第１のベルマウスは、等間隔に複数箇所を固定してフレームへ取り付けるという作用を有する。
【００３５】
また、引掛溝の室内側面に手前から奥に向けて狭くする傾斜を設けた勾配面を形成し、前記勾配面に対応する面に傾斜を設けた係合面を形成したものであり、第１のベルマウスを回動すると、第１のベルマウスをフレームに引き寄せる方向に力が働き、ベルマウスの回動で円錐面と接合面の間の隙間をさらに少なくすることができ、風漏れをさらに低減することができ、静圧をさらに向上することができ、回転数をさらに下げることができ、騒音をさらに低減することができるという作用を有する。
【００３６】
また、第１のベルマウスの前面に凹凸状の指回動リブを設けた換気装置としたものであり、第１のベルマウスは指がすべることなく回動することができ、着脱操作を簡単にすることができ、取り扱い性が向上するという作用を有する。
【００３７】
また、指回動リブは前記第１のベルマウスの開口と交差する形状にして設けた換気装置としたものであり、指回動リブに指を押し当てながら片手で第１のベルマウスを挿入、回動させることができるという作用を有する。
【００３８】
また、円錐面はＲ形状で形成し、前記接合面を前記円錐面に内接するＲ形状で形成し、前記第１のベルマウスの前方には、前記第１のベルマウスの開口形状と相似形状で前記接合面のＲ形状に沿って開口面積が拡大する整流部を有した換気装置としたものであり、高静圧形の第１のファン使用時には、整流部が風の流れを均一にし、通風路に通風を案内し、また、高風量形の第２のファン使用時には、Ｒ形状に形成された円錐面が第２のベルマウスを形成し、通風路に通風を整流しながら案内するという作用を有する。
【００３９】
また、第１のベルマウスおよび第２のベルマウスと前記第１のファンと第２のベルマウスはそれぞれ一対にして構成したことを特徴とする換気装置としたものであり、第１のファンと第１のファンまたは第２のファンと第２のベルマウスで組合せて、用途に応じて換気装置を構成することができるという作用を有する。
【００４０】
また、第１のベルマウスの裏面端部に傾斜を有した爪を円周方向に複数設け、前記爪に対向させて室内側開口部に取付孔を設けたことを特徴とする換気装置としたものであり、第１のベルマウスの回動で円錐面と接合面の間の隙間をさらに少なくすることができ、風漏れをさらに低減することができ、静圧をさらに向上することができ、回転数をさらに下げることができ、騒音をさらに低減することができるという作用を有する。
【００４１】
以下、本発明の実施の形態について、図面を参照しながら説明する。
【００４２】
（実施の形態１）
図１から図５に示すように、室壁１に設けた換気口であるパイプ２に挿入され、高静圧形の第１のファンである遠心ファン３を有したファンモーター４を備え、内部を通風路とした円筒部５と、円筒部５の室内側開口部６に外方に縁部に対して中央部を膨出させた湾曲形状に延接し室壁１に取り付けられるフレーム７と、前記フレームの前面を覆う前面パネル８と、室内側開口部６に位置してファンモーター４への通風を案内する着脱可能な第１のベルマウス９とを備え、室内側開口部６は室内側に向かって開口が広がる円錐面１０を有し、第１のベルマウス９外周部には円錐面１０に内接する円錐状の接合面１１を備えている。
【００４３】
また、前記接合面１１の一部には、外周方向へ突出した凸部１２を円周方向に等間隔に複数個備え、円錐面１０には、凸部１２に係合させる挿入溝１３ａと引掛溝１３ｂでＬ字形状に構成される引掛孔１３を円周方向に等間隔に複数個備え、引掛溝１３ｂの室内側面に手前から奥に向けて狭くする傾斜を設けた勾配面１４を形成し、勾配面１４に対応する凸部１２の面に傾斜を設けた係合面１５を形成し、第１のベルマウス９の前面に凹凸状の指回動リブ１６を設ける。
【００４４】
また、圧力損失を伴わない用途で使用する場合には、高静圧形の第１のファンである遠心ファン３を高風量形の第２のファンである軸流ファン１７へ取り替えて、第１のベルマウス９は外すことができるよう室内開口部６は前述のように室内側に向かって開口が広がり第２のベルマウスを構成する円錐面１０を備えたものとする。そして、第１のベルマウスは前記第１のファンと、第２のベルマウスは第２のファンとそれぞれ一対にして構成するものである。
【００４５】
上記構成において、高静圧形の第１のファンである遠心ファン３を用いるときには、第１のベルマウス９をフレーム７の前面から、凸部１２を挿入溝１３ａに沿わせて奥まで挿入し、第１のベルマウス９の前面に設けた凹凸状の指回動リブ１６に指を押し当てて引掛溝１３ｂに沿わせて回動することによって、引掛溝１３ｂに設けた勾配面１４と凸部１２に設けた係合面１５が係合し、円錐面１０と接合面１１を互いに圧接させて固定することができる。そして、パイプ２に挿入された換気装置を運転すると、ファンモーター４により回転する遠心ファン３によって、換気装置の前方の室内空気は第１のベルマウス９に沿って整流されながら吸込まれ、また換気装置の取り付け面の室壁１沿いの室内空気は、縁部に対して中央部を膨出させた湾曲形状に形成したフレーム７に沿って整流されながら第１のベルマウス９に導かれ、第１のベルマウス９に沿って整流されながら吸込まれ、円錐面１０と接合面１１の間から空気が逆流することなく、円筒部５を通り抜けて屋外に排出されることとなる。
【００４６】
また、換気装置を外壁に面した室壁１に設ける場合のように圧力損失を伴わない用途で使用する場合には、第１のベルマウス９の前面に設けた凹凸状の指回動リブ１６に指を押し当てて引掛溝１３ｂに沿わせて固定時と逆方向に回動して、凸部１２を挿入溝１３ａに沿わせて手前側に取り外すことができる。そして、高静圧形ファンである遠心ファン３を高風量形の第２のファンである軸流ファン１７へ取り替えて、換気装置を運転すると、ファンモーター４により回転する軸流ファン１７によって、換気装置の前方の室内空気は第２のベルマウスである円錐面１０より整流されながら吸込まれ、また換気装置の取り付け面の室壁１沿いの室内空気は、縁部に対して中央部を膨出させた湾曲形状に形成したフレーム７に沿って整流されながら第２のベルマウスである円錐面１０に導かれ、第２のベルマウスである円錐面１０より整流されながら吸込まれ、円筒部５を通り抜けて屋外に排出されることとなる。
【００４７】
なお、凸部１２は外周方向に短い形状であれば、挿入溝１３ａと引掛溝１３ｂでＬ字形状に構成されるの引掛孔１３は、円錐面１０の板厚よりも浅い溝のみで構成することができるので、円錐面１０には貫通孔が開くことなく、第１のベルマウス９を取り外し場合に、より空気の漏れを無くすことができ、その他の作用効果に差異はない。
【００４８】
このように、本発明の実施の形態１によれば、円筒部５の室内側開口部６は室内側に向かって開口が広がる円錐面１０を有し、第１のベルマウス９外周部には円錐面１０に内接する円錐状の接合面１１を備えているので、円錐面１０と接合面１１の間から空気が逆流することなく換気を行うことができ、静圧を向上することができ、さらに回転数を下げることができ、騒音を低減することができる。
【００４９】
また、円筒部５の室内側開口部６に外方に縁部に対して中央部を膨出させた湾曲形状に延接し室壁１に取り付けられるフレーム７と、前記フレームの前面を覆う前面パネル８を構成することで、壁面を伝わって流入する空気をスムースに第１のベルマウス９へ導き、効率よく換気を行うことができ、さらに室壁１からの飛び出し寸法を薄くすることができ、視覚的に薄く見せることができ、室内空間に溶け込むデザインの換気扇を提供することができる。
【００５０】
また、室内側開口部６に位置してファンモーター４への通風を案内する着脱可能な第１のベルマウス９とを備え、室内側開口部６は室内側に向かって開口が広がる円錐面１０を有し、第１のベルマウス９外周部には円錐面１０に内接する円錐状の接合面１１を備えて、この接合面１１の一部には、外周方向へ突出した凸部１２を円周方向に等間隔に複数個備え、円錐面１０には、凸部１２に係合させる挿入溝１３ａと引掛溝１３ｂでＬ字形状に構成されるの引掛孔１３を円周方向に等間隔に複数個備え、引掛溝１３ｂの室内側面に手前から奥に向けて狭くする傾斜を設けた勾配面１４を形成し、勾配面１４に対応する凸部１２の面に傾斜を設けた係合面１５を形成し、第１のベルマウス９の前面に凹凸状の指回動リブ１６を設けたので、第１のベルマウス９は回動で着脱することが可能であり、第１のファンである遠心ファン３および円筒部５内部の掃除を簡単にすることができ、お手入れ性を向上することができる。また、第１のベルマウス９の接合面１１は円錐状にして設けたものであり、円錐面１０に安定して固定することができるので、着脱によるがたつきや隙間の発生などを防止することができる。さらに、第１のベルマウス９を回動すると、第１のベルマウス９をフレーム７に引き寄せる方向に力が働き、着脱操作を簡単にすることができ、第１のベルマウス９の回動で円錐面１０と接合面１１は全周にわたって容易に密着させることができ、風漏れをさらに低減することができ、静圧をさらに向上することができ、回転数をさらに下げることができ、騒音をさらに低減することができる。
【００５１】
また、圧力損失を伴わない用途で使用する場合には、高静圧形の第１のファンである遠心ファン３を高風量形の第２のファンである軸流ファン１７へ取り替えて、第１のベルマウス９を外すことができる構成としたので、円錐面１０が第２のベルマウスとなり、壁面を伝わって流入する空気をスムースに第１のベルマウス９へ導き、効率よく換気を行うことができ、低騒音で大風量の換気装置を提供することができる。
【００５２】
また、第１のベルマウス９および第２のベルマウスと前記第１のファンと第２のファンはそれぞれ一対にして構成することにより、お客様の用途に合わせた風量、静圧、騒音特性が異なる多種多様の換気装置を提供することができる。
【００５３】
（実施の形態２）
図７および図８に示すように、円錐面１０ａはＲ形状で形成し、接合面１１ａを円錐面１０ａに内接するＲ形状で形成し、第１のベルマウス９の前方には、第１のベルマウス９の開口形状と相似形状で接合面１１ａのＲ形状に沿って開口面積が拡大する整流部１９を有した構成である。
【００５４】
また、圧力損失を伴わない用途で使用する場合には、高静圧形の第１のファンである遠心ファン３を高風量形の第２のファンである軸流ファン１７へ取り替えて、第１のベルマウス９を外した構成とする。
【００５５】
上記構成において、高静圧形の第１のファンである遠心ファン３を用いるときには、パイプに挿入された換気装置を運転すると、ファンモーター４により回転する遠心ファン３によって、換気装置の前方の室内空気は前面グリル１７より吸込まれ、整流部１９により均一な流れに整流された空気が第１のベルマウス９に沿ってさら整流されながら吸込まれ、また換気装置側面の室壁１沿いの室内空気は、縁部に対して中央部を膨出させた湾曲形状に形成したフレーム７に沿って整流されながら前面グリル１７より吸込まれ、整流部１９により均一な流れに整流された空気が第１のベルマウス９に導かれ、第１のベルマウス９に沿ってさらに整流されながら吸込まれ、円錐面１０ａと接合面１１ａの間から空気が逆流することなく、円筒部５を通り抜けて屋外に排出されることとなる。
【００５６】
また換気装置を外壁に面した室壁１に設けた場合のように圧力損失を伴わない用途で使用する場合には、第１のベルマウス９を外し、高静圧形ファンである遠心ファン３を高風量形の第２のファンである軸流ファン１７へ取り替えて、換気装置を運転すると、ファンモーター４により回転する軸流ファン１７によって、換気装置の前方の室内空気は第２のベルマウスである円錐面１０ａのＲ形状により均一な流れに整流されながら吸込まれ、また換気装置側面の室壁１沿いの室内空気は、縁部に対して中央部を膨出させた湾曲形状に形成したフレーム７に沿って整流されながら第２のベルマウスである円錐面１０ａに導かれ、第２のベルマウスである円錐面１０ａのＲ形状により均一な流れに整流されながら吸込まれ、円筒部５を通り抜けて屋外に排出されることとなる。
【００５７】
また、整流部１９を設けることにより、接合面１１ａをＲ形状としたときに第１のベルマウス９の裏面と接合面１１ａの間の空間がアンダーカットとなることを防ぐことができる。
【００５８】
このように本発明の実施の形態２の換気装置によれば、円錐面１０ａはＲ形状で形成し、接合面１１ａを円錐面１０ａに内接するＲ形状で形成し、円錐面１０ａと接合面１１ａにて全周にわたって密着させて隙間を防ぐことができ、また第１のベルマウス９の前方には、第１のベルマウス９の開口形状と相似形状で接合面１１ａのＲ形状に沿って開口面積が拡大する整流部１９を有しているので、前面パネル８より吸込まれた空気を整流部１９が均一な流れに整流し、風漏れを低減することができ、静圧をさらに向上することができ、回転数をさらに下げることができ、騒音をさらに低減することができる。
【００５９】
また、圧力損失を伴わない用途で使用する場合には、高静圧形の第１のファンである遠心ファン３と高風量形の第２のファンである軸流ファン１７とを取り替えて、第１のベルマウス９を外した構成としたので、Ｒ形状で形成した円錐面が第２のベルマウスとなり、そのＲ形状によりさらに均一な流れに整流することができ、さらに低騒音、大風量形の換気装置を提供することができる。
【００６０】
また、第１のベルマウス９の裏面と接合面１１ａで形成されるアンダーカット部を無くしたことにより、射出成形にて簡単に部品を製造することができる。
【００６１】
（実施の形態３）
図６に示すように、第１のベルマウス９に設けられた指回動リブは第１のベルマウス９の開口と交差するガード１８を兼ねて設けた構造である。
【００６２】
上記構成において、第１のベルマウス９は、前面に設けたガード１８を片手で回動させて着脱することとなる。また換気装置運転時に、ガード１８が前面パネルを兼ねることとなる。
【００６３】
このように実施の形態３の換気装置によれば、指回動リブをガード１８を兼ねる構造にすることで、指で触れることができる部分を大きくすることができ、第１のベルマウス９指がすべることなく回動することができ、着脱操作を片手で簡単にすることができ、取り扱い性が向上し、第１のベルマウス９により前面パネルを兼ねることができ、紙くず等の吸い込みや、指の誤挿入を防止することができる。
【００６４】
（実施の形態４）
図９に示すように、第１のベルマウス９の裏面端部に傾斜を有したＬ字状の爪２０を円周方向に複数設け、この爪２０に対向させて室内側開口部６に取付孔２１を設けた構造である。
【００６５】
上記構造において、高静圧形の第１のファンである遠心ファン３を用いるときには、第１のベルマウス９に設けたＬ字状の爪２０を孔２１に挿入し、第１のベルマウス９は回動して取り付けることにより、第１のベルマウス９に設けたＬ字状の爪２０と孔２１の傾斜形状により第１のベルマウス９をフレーム７に引き寄せる方向に力が働き、第１のベルマウス９の回動で円錐面１０と接合面１１の間の隙間をさらに少なくすることができる。
【００６６】
また高風量形の第２のファンである軸流ファン１７を用いるときには、第１のベルマウス９を取り外したときに、室内側開口部は小さな段差と室内側に向かって開口が広がり第２のベルマウスを構成する円錐面１０を形成することとなる。
【００６７】
このように実施の形態４の換気装置によれば、高静圧形の第１のファンである遠心ファン３を用いるときには、第１のベルマウス９は回動して取り付けることにより、第１のベルマウス９に設けたＬ字状の爪２０と孔２１の傾斜形状により、第１のベルマウス９をフレーム７に引き寄せる方向に力が働き、円錐面１０と接合面１１を全周にわたって密着することとなるので、円錐面１０と接合面１１の間の隙間をさらに少なくすることができ、風漏れをさらに低減することができ、静圧をさらに向上することができ、回転数をさらに下げることができ、騒音をさらに低減することができる。
【００６８】
また高風量形の第２のファンである軸流ファン１７を用いるときには、第１のベルマウス９を取り外したときに、室内側開口部は小さな段差と室内側に向かって開口が広がり第２のベルマウスを構成する円錐面１０を形成することとなるので、低騒音、大風量形の換気装置を提供することができる。
【産業上の利用可能性】
【００６９】
室壁に設けた換気口に配設される形状で、内部にファンを取付けたファンモーターを有し、室内側にベルマウスを有し、お客様の用途に合わせて風量、静圧、騒音特性が異なる多種多様の性能が必要となる、換気装置に有用である。
【図面の簡単な説明】
【００７０】
【図１】本発明の実施の形態１の遠心ファンを用いた換気装置の断面図
【図２】本発明の実施の形態１の軸流ファンを用いた換気装置の断面図
【図３】本発明の実施の形態１のベルマウスの着脱を示す断面図
【図４】本発明の実施の形態１の凸部と引掛孔の形状を示す拡大図
【図５】本発明の実施の形態１のベルマウス形状を示す図（（ａ）正面図、（ｂ）側面図）
【図６】本発明の実施の形態３のベルマウス形状を示す図（（ａ）正面図、（ｂ）側面図）
【図７】本発明の実施の形態２の遠心ファンを用いた換気装置の断面図
【図８】本発明の実施の形態２の軸流ファンを用いた換気装置の断面図
【図９】本発明の実施の形態４の軸流ファンを用いた換気装置の断面図
【図１０】従来の換気装置の側斜視図
【符号の説明】
【００７１】
１      室壁
２      パイプ
３      遠心ファン
４      ファンモーター
５      円筒部
６      室内側開口部
７      フレーム
８      前面パネル
９      第１のベルマウス
１０    円錐面
１０ａ  円錐面
１１    接合面
１１ａ  接合面
１２    凸部
１３    引掛孔
１３ａ  挿入溝
１３ｂ  引掛溝
１４    勾配面
１５    係合面
１６    指回動リブ
１７    軸流ファン
１８    ガード
１９    整流部
２０    爪
２１    取付孔
【図１】
2008232491.tif 000003
【図２】
2008232491.tif 000004
【図３】
2008232491.tif 000005
【図４】
2008232491.tif 000006
【図５】
2008232491.tif 000007
【図６】
2008232491.tif 000008
【図７】
2008232491.tif 000009
【図８】
2008232491.tif 000010
【図９】
2008232491.tif 000011
【図１０】
2008232491.tif 000012